(57)【要約】【課題】片足脚立、及びこれを取り付けた鉄道車両用の移動集塵機を提供する。【解決手段】鉄道車両の移動集塵機１２の進行方向側の側面に配設された片持ち支持された片足脚立１０であって、前記移動集塵機１２の側面１２ａと、固定端１４ａが水平方向を回転軸とするピン結合により接続された天板１４と、水平方向を回転軸として前記固定端１４ａの反対側の自由端１４ｂにピン結合により接続された梯子１６と、を有し、前記天板１４及び前記梯子１６は、前記進行方向側に展開可能で前記側面１２ａ側に折り畳み可能である。そして、前記天板１４には、前記天板１４の自由端１４ｂ側を持ち上げる方向に付勢する付勢手段１８が設けられている。【選択図】図１
2009264062.tif 000002
【特許請求の範囲】
【請求項１】
移動体の進行方向側の側面に片持ち支持で配設された片足脚立であって、
前記側面に固定端が水平方向に回転軸を持つピン結合により接続された天板と、
水平方向を回転軸として前記天板の前記固定端の反対側の自由端にピン結合により接続された梯子と、を有し、
前記天板及び前記梯子は、前記側面から離れる方向に展開可能で前記側面側に折り畳み可能であることを特徴とする片足脚立。
【請求項２】
前記天板には、前記天板の自由端側を持ち上げる方向に付勢する付勢手段が設けられていることを特徴とする請求項１に記載の片足脚立。
【請求項３】
前記移動体の側面には前記梯子を係止する係止手段を有することを特徴とする請求項１または２に記載の片足脚立。
【請求項４】
前記係止手段には、前記梯子と当接可能で、前記当接時に前記移動体の駆動制限を解除するインターロックが設けられていることを特徴とする請求項１乃至３のいずれか１項
に記載の片足脚立。
【請求項５】
請求項１乃至４のいずれか１項に記載の片足脚立を、進行方向の側面に取り付け、前記側面の上部には水平旋回可能な手すりが設けられていることを特徴とする鉄道車両用の移動集塵機。
【発明の詳細な説明】
【技術分野】
【０００１】
本発明は片足脚立と、これを取り付けた鉄道車両用の移動集塵機に関する。
【背景技術】
【０００２】
従来、鉄道車両の点検及び修理などを行う車両整備場において、鉄道車両の床下のモータ、ジェネレータ、抵抗器、制御機器などの機械類に付着した塵埃をエアガンを用いて圧縮空気を気吹いて落とす気吹き清掃作業が行われる。通常、発生した塵埃を集塵するために、鉄道車両の長手方向と平行に移動して気吹き箇所の塵埃を集塵する移動集塵機が用いられる（特許文献１参照）。そして、上述の床下の清掃作業のみならず、客車内部の清掃も行う場合には、脚立を現場に運び込み、客車のドア脇に設置する必要がある。
【特許文献１】特開平１１−２２２１０４
【発明の開示】
【発明が解決しようとする課題】
【０００３】
しかし、車両整備場においては、脚立の展開・折り畳みは容易ではなく、使用中の脚立が移動集塵機以外の他の移動機器に衝突しうる。また脚立を使用した作業者の片付け忘れ等が発生した場合は、他の移動機器のみならず移動集塵機にも衝突しうるため車両整備場における作業の危険性が増大することになる。そこで本発明は、展開・折り畳みを容易にし、車両整備場の危険を回避可能な鉄道車両の片足脚立及び鉄道車両用の移動集塵機を提供する。
【課題を解決するための手段】
【０００４】
上記目的を達成するため、本発明に係る片足脚立は、第１には、駆動する移動体の進行方向側の側面に片持ち支持で配設された片足脚立であって、前記移動体の側面と、固定端が水平方向に回転軸を有するピン結合により接続された天板と、水平方向を回転軸として前記固定端の反対側の自由端にピン結合により接続された梯子と、を有し、前記天板及び前記梯子は、前記進行方向側に展開可能で前記側面側に折り畳み可能であることを特徴としている。
【０００５】
第２には、前記天板には、前記天板の自由端側を持ち上げる方向に付勢する付勢手段が設けられていることを特徴としている。
第３には、前記移動集塵機の側面には前記梯子を係止する係止手段を有することを特徴としている。
【０００６】
第４には、前記係止手段には、前記梯子と当接可能で、前記当接時に前記移動体の駆動制限を解除するインターロックが設けられていることを特徴としている。
【０００７】
また本発明に係る鉄道車両用の移動体集塵機は、前記片足脚立を、進行方向の側面に取り付け、前記側面の上部には水平旋回可能な手すりが設けられていることを特徴としている。
【発明の効果】
【０００８】
本発明に係る片足脚立及び鉄道車両用の移動集塵機によれば、片足脚立と移動集塵機と一体となっているため、移動集塵機と衝突することはない。そして、移動集塵機の進行方向側の側面に配設されているため、移動集塵機の鉄道車両の反対側にはみ出ることはなく、他の移動機器と衝突することを回避することができる。また天板には、天板の自由端側を持ち上げる方向に付勢する付勢手段が設けられているため、簡単に展開・折り畳みが可能となり、作業効率が向上する。そして移動集塵機の側面に設けられた係止手段により、片足脚立が不意に展開することに伴う事故を防止できるとともに、前記係止手段に設けられたインターロックにより、片足脚立が展開中の移動集塵機の移動を防止して、不意の事故を防止することができる。さらに前記移動集塵機の側面上部に水平旋回可能な手すりを設けることで、移動中は移動集塵機の側面に片足脚立とともに折り畳み可能で、片足脚立の展開を防止し、停止中は天板脇に固定することにより、片足脚立に昇った作業者の落下を防止することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
本実施形態に係る片足脚立及び鉄道車両用の移動集塵機を図１に示す。図１（ａ）は片足脚立の右側面図、図１（ｂ）は正面図、図１（ｃ）は左側面図である。本実施形態に係る片足脚立１０は、移動集塵機１２の進行方向側の側面１２ａに配設された片持ち支持され、前記移動集塵機の側面１２ａと、固定端が水平方向を回転軸とするピン結合により接続された天板１４と、水平方向を回転軸として前記固定端の反対側の自由端にピン結合により接続された梯子１６と、を有し、前記天板１４及び前記梯子１６は、前記進行方向側に展開可能で前記側面１２ａ側に折り畳み可能な構成である。
【００１１】
移動集塵機１２は車両整備場内部にまで敷設されたレールに乗って搬入された鉄道車両の両脇において、鉄道車両の長手方向に移動可能な集塵機であって、通常一本の鉄道車両に対して複数台用いられる。移動集塵機１２の鉄道車両側（内側）は移動集塵機１２の吸引孔（不図示）があり、鉄道車両下部における気吹き清掃作業によって発生する塵埃を含む空気は移動集塵機１２の内側に形成された吸引孔（不図示）からファン等の吸引手段（不図示）により吸引される。吸引された塵埃を含む空気はフィルタ手段（不図示）を通過して塵埃が除去されたのち、上方に排出される。移動集塵機１２の内側の反対側（外側）の面には下端がピン結合された矩形の平板状の作業台１２ｂが配設されている。作業台１２ｂは移動集塵機の移動中において移動集塵機１２側に折り畳まれ、清掃作業中は展開して鉄道車両に付属する小さな部品の清掃を行う台として利用できる。
【００１２】
片足脚立１０は移動集塵機１２の進行方向側の側面１２ａに配設されるものであり、天板１４と梯子１６によって構成される。天板１４は、その固定端１４ａが移動集塵機１２の進行方向側の側面１２ａにピン結合により接続される。天板の高さは鉄道車両のドアの下端と同程度の高さにするか、通常の階段の１ステップ分（２０ｃｍ）程度低い高さにすることが望ましい。これにより天板１４を移動集塵機１２の側面から展開した場合に、作業者は鉄道車両内部に容易に出入することができる。またピン結合は水平方向を中心軸としている（以下に説明する他のピン結合も同様）。これにより天板１４はピン結合位置を中心として上下方向に回動することができる。
【００１３】
さらに天板１４はその中央部で固定端１４ａ側と自由端１４ｂ側とに分割されている。そして、分割位置において、固定端１４ａ側と自由端１４ｂ側はピン結合部１４ｅによりピン結合している。よって自由端１４ｂ側はピン結合部１４ｅを回転軸として回動自在となっている。
【００１４】
片足脚立１０の折り畳み時において、天板１４はピン結合部１４ｅを頂点として山折りの状態となっている。一方、展開時において、天板１４は同一平面を形成する一枚の板となる。このとき、固定端１４ａ側の端面と自由端１４ｂ側の端面とが互いに当接し、固定端１４ａ側と自由端１４ｂ側とを合わせた一枚の板としての剛性を得ることができる。これにより天板１４の展開時に作業者が天板１４の上に乗ることができる。
【００１５】
なお、天板１４は一定の剛性を有し、後述の付勢手段１８に抵抗しうるある程度の重量を有するものがよく、例えば鉄板等が適切である。
また天板１４には前記天板１４の固定端１４ａの反対側である自由端１４ｂ側を持ち上げる方向に付勢する付勢手段１８が配設されている。付勢手段１８は、長手方向に弾性的に伸縮可能な棒状のものを用いる（図２参照）。例えば図１に示すガススプリングのように、シリンダ１８ａとロッド１８ｂからなる構成で、シリンダ１８ａ内にガスを充填させ、ロッド１８ｂをシリンダ１８ａから繰り出す方向に付勢させる。これにより付勢手段１８は長手方向に伸びる方向に付勢される（図２のロッド１８ｂ参照）。そして付勢手段１８の一端は側面１２ａの固定端１４ａより下の位置に配設されたピン結合部１２ｃとピン結合され、他端は天板１４の側面に配設されたピン結合部１４ｄとピン結合されている。よって付勢手段１８は、各ピン結合部分を回転軸として回動自在となっている。なお付勢手段１８は天板１４の両サイドに配設されている（図１（ｃ）参照）。
【００１６】
また、このような配置で付勢手段１８を取り付けると、天板１４の展開時（図２（ｄ）参照）は付勢手段１８の長手方向の長さ（ロッド１８ｂの繰り出された長さ）は短くなり、逆に折り畳み時（図２（ａ））には長くなる。よって、付勢手段１８は、天板１４の後述のピン結合部１４ｅ側を持ち上げる方向、すなわち天板１４を折り畳む方向に付勢することができる。なお、ガススプリング以外にも、ばね、ゴム等を用いることがきる。さらに、ピン結合部１２ｃを固定端１４ａより上の位置に配設し、付勢手段１８は長手方向で縮む方向に付勢するように配設しても良い。
【００１７】
付勢手段１８の付勢の強度は、回転軸である天板１４の固定端１４ａに対して、天板１４及び梯子１６を展開したときに掛かるトルク（このときトルクは最大）と、天板１４及び梯子１６を側面１２ａ側に寄せたときに掛かるトルク（このときトルクは最小）との中間の大きさのトルクを反対方向に与える程度であればよい。これにより、片足脚立１０の展開時に付勢手段１８により自動的に折り畳まれることを防ぎ、また側面１２ａへ折り畳まれたときに天板１４及び梯子１６の自重により展開することを防止することができる。このように付勢手段１８の付勢の強度を設定することにより、作業者の天板１４及び梯子１６を持ち上げる負担を軽減しつつ、片足脚立１０の展開・折り畳みを確実に行うことができる。
【００１８】
梯子１６は、その上端１６ａが天板の自由端１４ｂにピン結合により接続されている。梯子１６の長さは床面２６から天板１４の固定端１４ａの移動集塵機１２の取り付け位置までの高さより大きい寸法であり、展開時の梯子１６が一定の傾斜角を形成するとともに展開時の天板１４が水平となるように設計する必要がある。また梯子１６の上部の側面には回動自在でピン結合され、一定の剛性を有するつっかえ棒１６ｃが配設されている。つっかえ棒１６ｃ先端にはフック１６ｄが形成され、天板１４側面に形成された係止部１４ｃに係止することができる。よってフック１６ｄを係止部１４ｃに係止させると、天板１４、梯子１６、つっかえ棒１６ａで剛性を有する三角形を形成するため、梯子１６は天板１４に対して一定角度で固定可能となる。なお、つっかえ棒１６ｃは天板１４側でピン結合して梯子１６側に係止部（不図示）を設け、つっかえ棒１６ａ先端のフック１６ｄを係止部（不図示）に係止させても良い。また梯子１６において等間隔に並べられた複数の踏み板１６ｅは、前記一定の傾斜角を考慮して、天板及び梯子の展開時に踏み板１６ｅの上面が真上に向くように設計する。なお、梯子は一定の剛性を有し、軽量のものが良く、例えばアルミ等の軽金属が適切である。
【００１９】
本実施形態において、移動集塵機１２の側面１２ａに前記梯子１６を係止する係止手段２０を有している。図１に示すように係止手段２０は、移動集塵機１２の進行方向側の側面１２ａの下部の形成された張出部２０ａと、張出部の上面に形成された窪み２０ｂから構成される。張出部２０ａの上面の高さは片足脚立１０を折り畳み時の梯子１６の下端１６ｂよりも高い位置に設計されている。さらに窪み２０ｂはその断面形状が梯子１６の下端１６ｂの断面形状に倣った形状かそれより大きな寸法を有していればよい。ここで、梯子１６の下端１６ｂを構造的に窪み２０ｂに挿入可能とするために、天板１４は上述のように山折にすることができる。これにより片足脚立１０を折り畳む際に、天板１４を山折にすることで、梯子１６の下端１６ｂを窪み２０ｂに差し込んで梯子１６を係止することができ、梯子１６が不意に展開することが防止できる。
【００２０】
本実施形態において、係止手段２０は、梯子１６と当接可能で、前記当接時に移動集塵機１２を移動可能とするインターロック２２が設けられている構成である。インターロック２２は移動集塵機１２を移動させる動力を発生させるアクチュエータ等への電力の供給を遮断する機械的なスイッチである。インターロック２２に梯子１６が当接していない場合は電力を供給する回路をＯＰＥＮにして遮断させ、当接している場合にはＣＬＯＳＥにして導通させる。よってインターロック２２は窪み２０ｂの底部または側面の梯子１６の下端１６ｂが当接可能な位置に配設すればよい。これにより梯子１６がインターロック２２と当接せず、不意に梯子が開放した場合において移動集塵機１２の移動を防止することができる。
【００２１】
移動集塵機１２の側面１２ａ上部には水平旋回可能な手すり２４が設けられている。手すり２４は移動集塵機１２の側面１２ａの鉄道車両側の反対側（外側）に接続された張出部２４ａと、前記張出部２４ａの端部に垂直方向を回転軸としてピン結合された固定端を有する手すり部２４ｂとから構成される。張出部２４ａは前記外側であって折り畳まれた天板１４と当接しない位置に接続される。張出部２４ａの張り出しの長さは、天板１４及び梯子１６を折り畳んだときの移動集塵機１２の側面１２ａからの張り出しの長さに相当する。これにより天板１４及び梯子１６を折り畳んだのち、手すり部２４ｂと移動集塵機１２の側面１２ｂとが畳み込まれた天板１４及び梯子１６を囲むようにして、手すり部２４ｂが移動集塵機１２の側面１２ａに折り畳むことができ、手すり部２４ｂを９０度以上旋回させて展開すると天板１４の展開時に、手すり部２４ｂが天板１４と干渉することはない。また張出部２４を前記外側に接続することにより、前記外側に手すり部２４ｂを展開して配置可能となるので、作業者の前記外側からの転落を防止することができる。また手すり部２４ｂ下部には展開固定フック（不図示）を設け、展開時の天板１４の係止部（不図示）に係止させて手すり部２４ｂを固定できるようにすれば良い。さらに手すり部２４ｂの自由端側にも折り畳み固定フック（不図示）を設け、片足脚立１０の折り畳み時に手すり２４を折り畳み、移動集塵機１２の係止部（不図示）に係止させて手すり部２４ｂを固定できるようにすれば良い。これにより手すり部２４ｂは展開時においては天板１４に固定され、折り畳み時には移動集塵機１２に固定される。
【００２２】
以上の構成のもと本実施形態に係る片足脚立１０及び移動集塵機１２の動作を図２に基づいて説明する。まず移動集塵機１２を鉄道車両脇の所定位置まで移動させる。このとき片足脚立１０、手すり部２４ｂは折り畳まれ、インターロック２２は梯子１６の下端１６ｂと当接してＣＬＯＳＥとなっている（図２（ａ））。そして移動集塵機１２を所定位置で停止させ、移動集塵機１２を用いて車両下部の集塵作業を行うとともに、車内整備を行うため片足脚立１０を展開する。まず手すり部２４ｂ自由端側にある折り畳み固定フック（不図示）を解除し、手すり部２４ｂを９０度旋回させて展開する。そして梯子１６を垂直方向に持ち上げる（図２（ｂ））。このとき、天板１４の固定端１４ａ側は回動していない。一方、天板の自由端１４ｂ側はピン結合部１４ｅを回転軸として持ち上がり、天板１４の自由端１４ｂにピン結合した梯子１６はほぼ垂直方向に持ち上がる。そして、梯子１６の下端１６ｂはインターロック２２と離間するためインターロック２２はＯＰＥＮとなり、移動集塵機１２の移動は制限される。
【００２３】
次に梯子１６を移動集塵機１２の側面１２ａから離れる方向に引っ張り（図２（ｃ））、梯子１６の下端１６ｂを床面２６に当接させる（図２（ｄ））。すると天板１４の固定端１４ａ側は付勢手段１８により持ち上がる方向に付勢されつつも、天板１４及び梯子１６が固定端１４ａに与えるトルクが付勢手段１８が固定端１４ａに与えるトルクより強くなるため、固定端１４ａを回転軸として天板１４の固定端１４ａ側が水平となる方向に倒される。一方、自由端１４ｂ側はピン結合部１４ｅを回転軸とし天板１４を広げる方向に回動し、固定端１４ａ側と自由端１４ｂ側の端面が互いに当接するため天板１４は全体で一定の剛性を確保しつつ固定端１４ａ側と自由端１４ｂ側による同一平面を形成する。このとき天板１４は水平となり、梯子１６は床面２６に対して傾斜して当接している。そして梯子１６の側面に設けられたつっかえ棒１６ｃを天板１４側面に形成された係止部１４ｃに係止し、梯子１６を天板１４に対して固定する（図２（ｄ））。これにより天板１４と梯子１６からなる結合体は、天板１４の固定端１４ａと梯子１６の下端１６ｂによって保持され、天板１４と梯子１６との間で一定の剛性を獲得しているので作業者は梯子１６を上り天板１４の上に乗ることができる。そして手すり部２４ｂを天板１４の展開方向と平行となるように手すり部２４ｂ下端にある展開固定フック（不図示）を天板１４に係止することにより、手すり部２４ｂは移動集塵機１２の側面１２ａの外側において天板１４に対して固定され、作業者が天板１４から転落することを防止することができる。なお、前記外側の反対側である内側（鉄道車両側）は、鉄道車両のドアに近接しているため作業者が転落することはない。
【００２４】
次に、片足脚立１０を折り畳む場合は、展開固定フック（不図示）を解除して手すり部２４ｂを展開した状態を維持し、梯子１６の側面の設けられたつっかえ棒１６ｃの係止を解除する。そして梯子１６を持ち上げると、天板１４の固定端１４ａが付勢手段１８の付勢方向である天板１４を持ち上げる方向に回動する（図２（ｃ））。そして梯子１６を天板１４とともに移動集塵機１２の側面１２ａ側に寄せる（図２（ｂ））。このとき、天板１４の自由端１４ｂ側は固定端１４ａ側に対して山折の状態となる。さらに天板１４及び梯子１６が固定端１４ａ側に与えるトルクは、天板１４及び梯子１６を側面１２ａ側に寄せるほど小さくなる。よって、ある位置において付勢手段１８が固定端１４ａに与えるトルクより小さくなるので、天板及び梯子１６は側面１２ａ側に引き寄せられる。
天板１４及び梯子１６を側面１２ａ側に引き寄せたのち梯子１６の下端１６ｂを窪み２０ｂに差し込むことで、天板１４と梯子１６の折り畳みが終了とするとともにインターロック２２がＣＬＯＳＥとなり移動集塵機１２の移動が可能となる（図２（ａ））。最後に手すり部２４ｂの折り畳み固定フック（不図示）を移動集塵機１２の係止部（不図示）に係止させることにより片足脚立１０の折り畳みは終了する（図２（ａ））。
【００２５】
このように、片足脚立１０は付勢手段１８のサポートにより、展開・折り畳みの作業負担を軽減させ、インターロック２２により片足脚立１０の展開時の移動集塵機１２の移動を制限している。
【００２６】
従って、本実施形態に係る片足脚立１０及び移動集塵機１２によれば、片足脚立１０と移動集塵機１２と一体となっているため、互いに衝突することはない。そして、移動集塵機１２の進行方向側の側面１２ｂに配設されているため、移動集塵機１２の鉄道車両の反対側にはみ出ることはなく、他の移動機器と衝突することを回避することができる。また天板１４には、天板１４の自由端１４ｂ側を持ち上げる方向に付勢する付勢手段１８が設けられているため、片手で簡単に展開・折り畳みが可能となり、作業効率が向上する。そして移動集塵機１２の側面１２ａに設けられた係止手段２０により、片足脚立１０が不意に展開することに伴う事故を防止できるとともに、前記係止手段２０に設けられたインターロック２２により、片足脚立１０が展開中の移動集塵機の移動を防止して、不意の事故を防止することができる。さらに前記移動集塵機１０の側面１２ａ上部に水平旋回可能な手すり２４を設けることで、移動中は移動集塵機１２の側面１２ａに天板１４及び梯子１６とともに折り畳み可能で、片足脚立１０の展開を防止し、停止中は天板１４脇に配置可能であるので、片足脚立１０に昇った作業者の転落を防止することができる。
【００２７】
本実施形態において、手すり２４には手すり部２４ｂが自動的に折り畳む方向に付勢する第２付勢手段（不図示）を設けても良い。これにより天板１４及び梯子１６を折り畳んだときに自動的に手すり部２４ｂが移動集塵機１２の側面１２あに折り畳まれる。または手すり部２４ｂの回転軸の上端を移動集塵機１２の側面１２ａ側にわずかに傾斜させ、手すり部２４ａに９０度程度で水平旋回を制限するストッパ（不図示）を設けても良い。これにより作業者が手すり部２４ｂをわずかに折り畳む方向に押すだけで、重力により手すり部２４ｂは移動集塵機の側面に折り畳まれる。
【００２８】
またインターロック２２は係止手段２０の窪み２０ｂに配設せず、手すり部２４ｂの自由端に配設された折り畳み固定フック（不図示）と、前記折り畳みフック（不図示）が係止される移動集塵機側の係止部（不図示）との当接面に配置してもよい。
【００２９】
また本実施形態において、付勢手段１８は、固定端１４ａの回転軸と一体化させ、ねじれの力に対する反力を形成させ、天板１４の自由端１４ｂ側を持ち上げる方向に付勢するものであっても良い。例えばねじりスプリングのスプリング部分に挿通された案内棒を回転軸とし、ねじりスプリングからのびた脚の一方を天板１４側、他方を側面１２ａ側に固定し、ねじりスプリングの反力が天板の自由端１４ｂ側を持ち上げる方向に付勢できるように配設すればよい。しかし、付勢手段１８は上述の形態ように回転軸と分離しているものの方が故障時において交換しやすい。本実施形態において片足脚立１０は、鉄道車両用の移動集塵機１２に取り付けることを前提に述べてきたが、これに限定されず、整備工場や倉庫などで用いられる作業車や、緊急車両等の移動体にも適用でき、さらに移動体に限らず、固定設備にも適用できる。
【産業上の利用可能性】
【００３０】
車両整備場における車両の清掃作業において、作業効率や安全性を考慮した移動集塵装置用脚立および移動集塵機を提供できる。
【図面の簡単な説明】
【００３１】
【図１】本実施形態の片足脚立及び移動集塵機の概略図である。
【図２】本実施形態の片足脚立の動作を示す概略図である。
【符号の説明】
【００３２】
１０………片足脚立、１２………移動集塵機、１４………天板、１４ａ………固定端、１４ｂ………自由端、１４ｃ………係止部、１４ｄ………ピン結合部、１４ｅ………ピン結合部、１６………梯子、１６ａ………上端、１６ｂ………下端、１６ｃ………つっかえ棒、１６ｄ………フック、１６ｅ………踏み板、１８………付勢手段、２０………係止手段、２０ａ………張出部、２０ｂ………窪み、２２………インターロック、２４………手すり、２４ａ………張出部、２４ｂ………手すり部、２６………床面。
【図１】
2009264062.tif 000003
【図２】
2009264062.tif 000004